(57)【要約】【課題】寄付の電子決済による利便性と、寄付の実感との両立を図るのに有効な参拝支援方法を提供する。【解決手段】参拝支援方法は、参拝対象の社殿の実画像を取得することと、参拝者の参拝者端末１００への操作入力に応じて、移動するバーチャル賽銭の動画像を社殿の実画像に合成した寄付動画を参拝者端末１００に表示することと、操作入力に応じて、参拝対象に対する寄付の電子決済用の処理を行うことと、を含む。【選択図】図２
2020173710.tif 000002
【特許請求の範囲】
【請求項１】
参拝対象の社殿の実画像を取得することと、
参拝者の端末装置への操作入力に応じて、移動するバーチャル賽銭の動画像を前記社殿の実画像に合成した寄付動画を前記端末装置に表示することと、
前記操作入力に応じて、前記参拝対象に対する寄付の電子決済用の処理を行うことと、を含む参拝支援方法。
【請求項２】
前記寄付動画の表示に応じ、寄付に対する返礼を示す返礼シンボルの動画像を前記社殿の実画像に合成した返礼動画を前記端末装置に表示することを更に含む、請求項１記載の参拝支援方法。
【請求項３】
前記バーチャル賽銭の到達位置に応じて前記返礼シンボルの動画像を変更することを更に含む、請求項２記載の参拝支援方法。
【請求項４】
前記社殿の実画像を取得することは、予め取得された前記社殿のパノラマ画像から、前記端末装置の向きに応じた表示対象エリアの実画像を抽出することを含む、請求項１〜３のいずれか一項記載の参拝支援方法。
【請求項５】
前記社殿の実画像を取得することは、前記社殿のパノラマ画像から、前記端末装置のカメラの視線方向に応じた表示対象エリアの実画像を抽出することを含む、請求項４記載の参拝支援方法。
【請求項６】
前記カメラの視線方向に応じた表示対象エリアの実画像を抽出することは、前記カメラの視線方向が前記社殿の実在方向に向かうときに前記社殿が中央に表示されるよう予め定められた対応関係に基づいて、前記カメラの視線方向に応じた表示対象エリアを設定することを含む、請求項５記載の参拝支援方法。
【請求項７】
前記社殿の実画像を取得することは、前記端末装置のカメラにより撮影された前記社殿の実画像を取得することを含む、請求項１〜３のいずれか一項記載の参拝支援方法。
【請求項８】
前記社殿の実画像を取得することは、
前記端末装置のカメラにより撮影された前記社殿の実画像を取得する第１モードの実画像取得と、
予め取得された前記社殿のパノラマ画像から、前記端末装置の向きに応じた表示対象エリアの実画像を抽出する第２モードの実画像取得と、
前記端末装置の現在位置に応じて第１モードの実画像取得と第２モードの実画像取得とを切り替えることとを含む、請求項１〜３のいずれか一項記載の参拝支援方法。
【請求項９】
前記バーチャル賽銭の画像を前記社殿の実画像に合成した動画を前記端末装置に表示することは、
前記端末装置への操作入力の方向と、前記端末装置の向きとに基づいて、前記バーチャル賽銭の三次元移動経路を算出することと、
前記三次元移動経路に対応する移動経路に沿って前記バーチャル賽銭が前記社殿の実画像内で移動するように合成動画データを生成することとを含む、請求項４〜８のいずれか一項記載の参拝支援方法。
【請求項１０】
前記端末装置の現在位置に基づいて、参拝対象を選択することを更に含む、請求項１〜８のいずれか一項記載の参拝支援方法。
【請求項１１】
前記端末装置の向きに基づいて、参拝対象を選択することを更に含む、請求項１〜８のいずれか一項記載の参拝支援方法。
【請求項１２】
請求項１〜１１のいずれか一項記載の参拝支援方法を装置に実行させるプログラム。
【請求項１３】
請求項１〜１１のいずれか一項記載の参拝支援方法を装置に実行させるプログラムを記憶した、コンピュータ読み取り可能な記憶媒体。
【発明の詳細な説明】
【技術分野】
【０００１】
本開示は、参拝支援方法、プログラム、及び記憶媒体に関する。
【背景技術】
【０００２】
特許文献１には、寄付に対する返礼品を排出する排出口と、寄付の金額及びカード情報を含む寄付情報が登録されたカード又は情報端末装置から、寄付情報を受け付ける受付部と、寄付情報に基づくカード決済指示を、ネットワークを介して、カード会社の情報処理装置へ送信する送信部と、決済指示に基づく決済完了通知を、ネットワークを介して、カード会社の情報処理装置から受信する受信部と、カード決済完了通知を受信した場合に、排出口から返礼品を排出する排出制御部と、を備える参拝支援装置が開示されている。
【先行技術文献】
【特許文献】
【０００３】
【特許文献１】特開２０１８−１６１２７８号公報
【発明の概要】
【発明が解決しようとする課題】
【０００４】
本開示は、寄付の電子決済による利便性と、寄付の実感との両立を図るのに有効な参拝支援方法を提供することを目的とする。
【課題を解決するための手段】
【０００５】
本開示の一側面に係る参拝支援方法は、参拝対象の社殿の実画像を取得することと、参拝者の端末装置への操作入力に応じて、移動するバーチャル賽銭の動画像を社殿の実画像に合成した寄付動画を端末装置に表示することと、操作入力に応じて、参拝対象に対する寄付の電子決済用の処理を行うことと、を含む。
【０００６】
本開示の他の側面に係るプログラムは、上記の参拝支援方法を装置に実行させる。
【０００７】
本開示の更に他の側面に係る記憶媒体は、上記の参拝支援方法を装置に実行させるプログラムを記憶している。
【発明の効果】
【０００８】
本開示によれば、寄付の電子決済による利便性と、寄付の実感との両立を図るのに有効な参拝支援方法を提供することができる。
【図面の簡単な説明】
【０００９】
【図１】参拝支援システムの概略構成を示す模式図である。
【図２】参拝者端末及び参拝支援サーバの機能的な構成を例示するブロック図である。
【図３】参拝者端末のカメラが社殿側に向けられた状態を示す模式図である。
【図４】参拝者端末の向きと表示対象エリアとの関係を例示する模式図である。
【図５】移動経路の算出例を示す模式図である。
【図６】参拝者端末の姿勢変化と移動経路の表示位置との関係を示す模式図である。
【図７】参拝者端末及び参拝支援サーバのハードウェア構成を例示するブロック図である。
【図８】参拝支援手順を例示するフローチャートである。
【図９】参拝支援手順を例示するフローチャートである。
【図１０】参拝支援手順を例示するフローチャートである。
【図１１】参拝支援手順を例示するフローチャートである。
【発明を実施するための形態】
【００１０】
以下、実施形態について、図面を参照しつつ詳細に説明する。説明において、同一要素又は同一機能を有する要素には同一の符号を付し、重複する説明を省略する。
【００１１】
〔参拝支援システム〕
図１に示す参拝支援システムは、参拝における寄付の電子決済を支援するシステムである。ここでの参拝は、礼拝も含む。参拝対象に特に制限はない。参拝対象の具体例としては、神社又は寺院等が挙げられる。
【００１２】
参拝支援システム１は、複数の参拝者端末１００（端末装置）と、複数の参拝対象端末２００と、少なくとも一つの参拝支援サーバ３００とを備える。参拝者端末１００は、参拝者が用いる端末であり、必ずしも参拝者の所有物でなくてもよい。参拝対象端末２００は、参拝対象１０に設けられる端末である。参拝者端末１００及び参拝対象端末２００は、有線又は無線でのネットワーク通信が可能な端末である限り、いかなるものであってもよい。参拝者端末１００及び参拝対象端末２００の具体例としては、ノート型のコンピュータ、タブレット型のコンピュータ、据え置き型（例えばデスクトップ型）のコンピュータ、及びスマートフォン等が挙げられる。
【００１３】
参拝支援サーバ３００は、複数の参拝者端末１００及び複数の参拝対象端末２００とネットワーク回線を介して接続されている。ここでの接続は、情報通信が可能となっていることを意味し、必ずしも有線接続に限られない。参拝支援サーバ３００は、参拝対象１０の情報を参拝対象端末２００から取得して蓄積し、蓄積した情報に基づいて、参拝における寄付の電子決済のサービスを参拝者端末１００に提供する。参拝者端末１００は、参拝支援サーバ３００が提供する電子決済のサービスを利用可能にするためのアプリケーションを含む。参拝支援サーバ３００は、上記アプリケーションをインストールさせるためのプログラムを記憶し、参拝者端末１００からの要求に応じて当該プログラムを提供するように構成されていてもよい。
【００１４】
上記アプリケーションを含む参拝者端末１００は、参拝対象１０の社殿の実画像を取得することと、参拝者による操作入力に応じて、移動するバーチャル賽銭の画像を社殿の実画像に合成した動画を表示することと、上記操作入力に応じて、参拝対象１０に対する寄付の電子決済用の処理を行うことと、を実行するように構成されている。電子決済用の処理は、金融機関、決済代行事業者、電子決済専門のサービス事業者等、決済を実行する事業者のサーバに電子決済を要求する処理を含む。参拝者端末１００は、参拝支援サーバ３００を介して、金融機関のサーバ等に電子決済を要求してもよい。
【００１５】
例えば参拝者端末１００は、図２に示すように、機能上の構成（以下、「機能モジュール」という。）として、実画像取得部１１０と、操作入力取得部１０１と、寄付動画表示部１２０と、寄付金額設定部１０２と、決済要求部１０３とを有する。参拝者端末１００の機能モジュールは、上記アプリケーションが含むプログラムモジュールと、参拝者端末１００のハードウェアとの協働により構成される。
【００１６】
実画像取得部１１０は、参拝対象１０の社殿の実画像を取得する。操作入力取得部１０１は、参拝者による操作入力を取得する。操作入力は、例えばマウス、キーボード、又はタッチパネル等、参拝者端末１００が有する入力デバイス１８２（図４参照）への入力である。寄付動画表示部１２０は、上記操作入力（操作入力取得部１０１が取得した操作入力）に応じて、移動（例えば飛翔又は落下）するバーチャル賽銭の画像を社殿の実画像（実画像取得部１１０が取得した実画像）に合成した寄付動画を表示する。動画の表示は、例えばモニタ又はタッチパネル等、参拝者端末１００が有する表示デバイス１８１（図４参照）への表示である。
【００１７】
寄付金額設定部１０２は、上記操作入力に基づいて、参拝対象１０への寄付の金額を設定する。例えば、寄付金額設定部１０２は、上記操作入力により指定された数値に応じて寄付の金額を設定する。決済要求部１０３は、寄付金額設定部１０２が設定した金額を参拝対象１０に寄付する電子決済を参拝支援サーバ３００に要求する。
【００１８】
参拝者端末１００は、自装置の現在位置に基づいて、参拝対象１０を選択することを更に実行するように構成されていてもよい。参拝者端末１００は、自装置の向きに基づいて、参拝対象１０を選択することを更に実行するように構成されていてもよい。例えば参拝者端末１００は、機能モジュールとして、位置・姿勢情報取得部１３１と、参拝対象選択部１３２とを更に有する。
【００１９】
位置・姿勢情報取得部１３１は、参拝者端末１００の位置情報（以下、「端末位置情報」という。）及び参拝者端末１００の姿勢情報（以下、「端末姿勢情報」という。）を取得する。端末位置情報は、地球上における参拝者端末１００の現在位置を示す情報であり、例えば参拝者端末１００の位置の緯度及び経度情報であり、参拝者端末１００が有するＧＰＳセンサ１８３（図７参照）等により検出される。端末姿勢情報は、参拝者端末１００が現在どの方位に向いているかを示す情報であり、参拝者端末１００が有する電子コンパス、加速度センサ、ジャイロセンサ等の姿勢センサ１８４（図７参照）により検出される。例えば端末姿勢情報は、参拝者端末１００が有するカメラ１８５（図３参照）の視線方向が現在どの方位に向いているかを示す。
【００２０】
参拝対象選択部１３２は、位置・姿勢情報取得部１３１が取得した端末位置情報及び端末姿勢情報の少なくとも一方に基づいて参拝対象１０を選択する。端末位置情報に基づいて参拝対象１０を選択する場合、参拝対象選択部１３２は、例えば端末位置情報と、参拝対象の社殿の位置情報（以下、「社殿位置情報」という。）とに基づいて参拝対象１０を選択する。一例として、参拝対象選択部１３２は、参拝者端末１００の現在位置と、社殿の位置とが最も近い参拝対象１０を選択する。例えば参拝対象選択部１３２は、参拝者端末１００の現在位置と社殿の位置とが最も近い参拝対象１０の選択を参拝支援サーバ３００に要求し、選択結果の情報を参拝支援サーバ３００から取得する。選択結果の情報は、選択された参拝対象１０の識別情報及び社殿位置情報を含む。
【００２１】
端末姿勢情報に基づいて参拝対象１０を選択する場合、参拝対象選択部１３２は、例えば端末位置情報と、端末姿勢情報と、社殿位置情報とに基づいて参拝対象１０を選択する。一例として、参拝対象選択部１３２は、参拝者端末１００の現在位置を基準とした社殿の位置の方位と、参拝者端末１００が向かう方位とが最も近い参拝対象１０を選択する。例えば参拝対象選択部１３２は、参拝者端末１００の現在位置を基準として参拝者端末１００が向かう方位に近い方位に社殿が位置する参拝対象１０の選択を参拝支援サーバ３００に要求し、選択結果の情報を参拝支援サーバ３００から取得する。この場合の選択結果の情報も、選択された参拝対象１０の識別情報及び社殿位置情報を含む。
【００２２】
参拝対象選択部１３２は、参拝者端末１００の現在位置と社殿の位置との関係と、参拝者端末１００の方位と社殿の方位の関係との両方に基づいて参拝対象１０を選択してもよい。参拝対象１０を選択することは、複数の参拝対象１０を選択することも含む。また、参拝対象１０を選択することは、最終選択の候補を仮選択することも含む。以下、参拝対象選択部１３２が選択した参拝対象を「被選択参拝対象」という。なお、本実施形態においては、端末位置情報及び端末姿勢情報の少なくとも一方に基づいて参拝対象１０を自動選択する構成を例示しているが、参拝者端末１００は、端末位置情報及び端末姿勢情報によらず参拝者の選択に応じて参拝対象を選択するように構成されていてもよい。
【００２３】
参拝者端末１００は、予め取得された社殿の画像に基づいて実画像を取得するように構成されていてもよい。例えば参拝者端末１００は、社殿の実画像を取得する際に、予め取得された社殿のパノラマ画像から、自装置の向きに応じた表示対象エリアの実画像を抽出するように構成されていてもよい。パノラマ画像は、参拝者端末１００が表示する実画像よりも広範囲を撮影した画像である。参拝者端末１００は、社殿の実画像を取得する際に、自装置のカメラにより撮影された社殿の実画像を取得するように構成されていてもよい。また、参拝者端末１００は、自装置のカメラにより撮影された社殿の実画像を取得する第１モードの実画像取得と、予め取得された社殿のパノラマ画像から、自装置の向きに応じた表示対象エリアの実画像を抽出する第２モードの実画像取得と、自装置の現在位置に応じて第１モードの実画像取得と第２モードの実画像取得とを切り替えることとを実行するように構成されていてもよい。例えば、実画像取得部１１０は、より細分化された機能モジュールとして、参拝モード切替部１１１と、参拝対象検索部１１２と、参拝対象情報受信部１１３と、参拝対象情報記憶部１１４と、第１取得部１１５と、第２取得部１１６とを有する。
【００２４】
参拝モード切替部１１１は、参拝者端末１００の現在位置に応じて上記第１モードの実画像取得と上記第２モードの実画像取得とを切り替える。例えば参拝モード切替部１１１は、参拝者端末１００の現在位置と、上記被選択参拝対象の社殿の位置との関係に基づいて第１モードの実画像取得と第２モードの実画像取得とを切り替える。一例として、参拝モード切替部１１１は、参拝者端末１００の現在位置と、上記被選択参拝対象の社殿の位置との距離が所定の切替閾値よりも小さい場合に実画像取得のモードを第１モードとし、当該距離が当該閾値よりも大きい場合に実画像取得のモードを第２モードとする。上記閾値は、例えば参拝者端末１００のカメラにより社殿を撮影可能な距離に設定されている。
【００２５】
実画像取得のモードが第２モードとされる場合、予め取得したパノラマ画像から実画像が抽出されるので、参拝者端末１００の現在位置及び現在の向き等に制約されずに参拝対象１０を選択することが可能である。そこで、参拝対象検索部１１２は、参拝対象選択部１３２による選択結果に関わらず、参拝者による参拝対象１０の再選択を可能にする。参拝対象検索部１１２は、参拝モード切替部１１１により実画像取得のモードが第２モードとされた場合に、検索条件を指定して参拝対象の検索を参拝支援サーバ３００に要求し、検索結果の情報を参拝支援サーバ３００から取得する。検索結果の情報は、検索条件に従って抽出された参拝対象１０の識別情報を含む。参拝対象検索部１１２は、参拝者による指定入力に従って検索条件を指定してもよい。例えば参拝対象検索部１１２は、検索条件の指定用の画面を参拝者端末１００の表示デバイス１８１に表示し、当該画面に基づく指定入力を参拝者端末１００の入力デバイス１８２から取得する。検索条件の指定用の画面は、複数種類の検索条件の入力部を含んでいてもよい。検索条件の種類の具体例としては、参拝対象１０の系譜、ご利益、社殿の所在地等が挙げられる。
【００２６】
参拝対象情報受信部１１３は、参拝対象検索部１１２が取得した検索結果から一つの参拝対象１０を選択し、当該参拝対象１０の追加情報を受信する。例えば参拝対象情報受信部１１３は、選択した参拝対象１０の識別情報を指定して当該参拝対象１０の追加情報を参拝支援サーバ３００から受信する。追加情報は、社殿の位置情報、社殿のパノラマ画像の情報、及び寄付に対する返礼を示す返礼シンボルの情報等を含む。社殿のパノラマ画像及び返礼シンボルの情報は、例えば予め参拝対象端末２００から取得されて参拝支援サーバ３００に蓄積されている。
【００２７】
参拝支援サーバ３００には、異なる時間に撮影された複数のパノラマ画像が参拝対象ごとに蓄積されていてもよい。この場合、参拝対象情報受信部１１３は、現在時刻に対応するパノラマ画像を参拝支援サーバ３００から取得してもよい。ここでの現在時刻は、参拝者端末１００が示す現在時刻であってもよいし、参拝支援サーバ３００が示す現在時刻であってもよい。なお、参拝者端末１００が示す現在時刻と、参拝支援サーバ３００が示す現在時刻とは、参拝者端末１００と参拝支援サーバ３００との所在地等に応じて異なる場合がある。参拝支援サーバ３００は、参拝対象情報受信部１１３からの追加情報の要求の都度、当該社殿に設置されたカメラからパノラマ画像を取得して参拝者端末１００に送信してもよい。
【００２８】
返礼シンボルは、返礼を視覚的に示し得る限りいかなるものであってもよい。返礼シンボルの具体例としては、参拝対象１０が祀る神等を擬人化したキャラクター、返礼を示す物品等が挙げられる。参拝支援サーバ３００には、複数種類の返礼シンボルが参拝対象１０ごとに蓄積されていてもよい。参拝対象情報記憶部１１４は、参拝対象情報受信部１１３が受信した参拝対象１０の追加情報を、当該参拝対象１０の識別情報に対応付けて記憶する。
【００２９】
第１取得部１１５は、実画像取得のモードが第１モードとされた場合に、参拝者端末１００のカメラにより撮影された社殿の実画像を取得する。第２取得部１１６は、実画像取得のモードが第２モードとされた場合に、参拝対象情報記憶部１１４が記憶するパノラマ画像から、参拝者端末１００の向きに応じた表示対象エリアの実画像を抽出する。例えば第２取得部１１６は、社殿のパノラマ画像から、参拝者端末１００のカメラの視線方向に応じた表示対象エリアの実画像を抽出する。一例として、第２取得部１１６は、参拝者端末１００のカメラの視線方向が社殿の実在方向（社殿が実在する方向）に向かうときに社殿が中央に表示されるよう予め定められた対応関係に基づいて、参拝者端末１００のカメラの視線方向に応じた表示対象エリアを設定する。
【００３０】
図３は、参拝者端末１００のカメラ１８５の視線方向（図示Ｘ軸正方向）が、社殿１１の実在方向に向かった状態を模式的に示している。この場合、第２取得部１１６は、パノラマ画像Ｐから、社殿１１が中央となる表示エリアＡ１の実画像を取得する（図４参照）。第２取得部１１６は、カメラ１８５の視線方向が社殿１１の右側に（図示Ｚ軸を中心に時計回りに）傾くにつれて表示エリアを社殿１１の右側に移動させる（図４の表示エリアＡ２参照）。また、第２取得部１１６は、カメラ１８５の視線方向が社殿１１の左側に（図示Ｚ軸を中心に反時計回りに）傾くにつれて表示エリアを社殿１１の左側に移動させる（図４の表示エリアＡ３参照）。
【００３１】
なお、参拝者端末１００の現在位置と、上記被選択参拝対象の社殿１１の位置との距離が切替閾値よりも小さくても、社殿１１の混雑等により、参拝者端末１００のカメラ１８５による社殿の撮影が困難な場合もあり得る。これに備え、参拝モード切替部１１１は、参拝者端末１００の現在位置と、上記被選択参拝対象の社殿１１の位置との距離が切替閾値よりも小さい場合においても、実画像取得のモードを第２モードとするように構成されていてもよい。
【００３２】
図２に戻り、参拝者端末１００は、バーチャル賽銭の画像を実画像に合成した寄付動画を表示する際に、自装置への操作入力の方向と、自装置の向きとの関係に基づいて、バーチャル賽銭の三次元移動経路を算出することと、三次元移動経路に対応する移動経路に沿ってバーチャル賽銭が実画像内で移動するように合成動画データを生成することとを実行するように構成されていてもよい。例えば寄付動画表示部１２０は、より細分化された機能モジュールとして、移動経路算出部１２１と、合成データ生成部１２２と、合成画像表示部１２３とを、有する。
【００３３】
移動経路算出部１２１は、参拝者端末１００の入力デバイス１８２への操作入力の方向と、参拝者端末１００の向きとに基づいて、バーチャル賽銭の三次元移動経路を算出する。三次元移動経路は、参拝者端末１００の周囲の空間に定められた三次元移動経路である。例えば図４において、移動経路算出部１２１は、表示デバイス１８１に表示された賽銭マークＣ１を移動させる操作入力（以下、「移動操作入力」という。）に基づいてバーチャル賽銭の三次元移動経路を算出する。移動操作入力の具体例としては、タッチパネルへのフリック又はスワイプ入力等が挙げられる。例えば移動経路算出部１２１は、移動操作入力が、参拝者端末１００の左右方向（図示Ｙ軸正負方向）の成分を含んでいない場合、参拝者端末１００の正面方向（図示Ｘ軸正方向）に沿う方向を参拝者端末１００に対する相対移動方向に設定する（図５中の破線矢印Ｒ１参照）。移動操作入力が、参拝者端末１００の右方向の成分を含んでいる場合、参拝者端末１００の正面方向に対して右に傾いた方向を参拝者端末１００に対する相対移動方向に設定する（図５中の破線矢印Ｒ２参照）。移動操作入力が、参拝者端末１００の左方向の成分を含んでいる場合、参拝者端末１００の正面方向に対して左に傾いた方向を参拝者端末１００に対する相対移動方向に設定する（図５中の破線矢印Ｒ３参照）。
【００３４】
次に、移動経路算出部１２１は、移動操作入力の上方向（図示Ｚ軸方向）の成分の大きさ、及び移動操作入力の速さ等に基づいて移動距離を算出する。次に、移動経路算出部１２１は、上記相対移動方向及び移動距離に基づいて参拝者端末１００に対する相対到達位置ＡＰを算出し、参拝者端末１００の現在位置から上記相対到達位置ＡＰまでの放物線状の相対移動経路を算出する。次に、移動経路算出部１２１は、参拝者端末１００の向きに基づいて、上記相対移動経路を三次元移動経路に変換する。例えば移動経路算出部１２１は、参拝者端末１００に固定された座標系ＣＳ１から、参拝者端末１００の周囲の空間に固定された座標系ＣＳ２への座標変換により、上記相対移動経路を三次元移動経路に変換する。
【００３５】
図２に戻り、合成データ生成部１２２は、三次元移動経路に対応する移動経路に沿って、バーチャル賽銭が実画像内で移動するように合成動画データを生成する。例えば合成データ生成部１２２は、参拝者端末１００の現在の向きと三次元移動経路とに基づいて三次元移動経路に対応する移動経路を算出することと、当該移動経路に沿って移動するバーチャル賽銭を実画像に合成する（例えば重ねる）こととを繰り返すことで、上記合成動画データを生成する。
【００３６】
合成画像表示部１２３は、合成データ生成部１２２が生成する合成動画データに従って寄付動画を表示する。合成画像表示部１２３は、寄付動画に合わせて効果音を発生させるように構成されていてもよい。例えば合成画像表示部１２３は、バーチャル賽銭が相対到達位置ＡＰに到達するのに応じて効果音を発生させてもよいし、バーチャル賽銭の移動の効果音を発生させてもよい。
【００３７】
合成データ生成部１２２及び合成画像表示部１２３による寄付動画の表示中においては、三次元移動経路に対応する移動経路が、参拝者端末１００の現在の向きに応じて更新される。このため、参拝者端末１００が傾けば、その傾きに応じてバーチャル賽銭の移動経路の表示位置も変化する。例えば図６の例において、三次元移動経路に対応する移動経路ＭＲは、カメラ１８５の視線方向が社殿１１の右側に傾くのに応じて社殿１１の画像と共に左側に移動し、カメラ１８５の視線方向が社殿１１の左側に傾くのに応じて社殿１１の画像と共に右側に移動する。
【００３８】
図２に戻り、参拝者端末１００は、バーチャル賽銭の動画の表示に応じ、バーチャル賽銭の投入に対する返礼を示す返礼シンボルの動画像を社殿１１の実画像に合成した返礼動画を表示することを更に実行するように構成されていてもよい。参拝者端末１００は、バーチャル賽銭の到達位置に応じて返礼シンボルの動画像を変更するように構成されていてもよい。例えば参拝者端末１００は、返礼動画表示部１４０を更に有する。返礼動画表示部１４０は、バーチャル賽銭が到達位置に到達するのに応じ、上記返礼動画を表示する。返礼動画表示部１４０は、より細分化された機能モジュールとして、返礼動画データ生成部１４１と、合成データ生成部１４２と、合成画像表示部１４３とを有する。
【００３９】
返礼動画データ生成部１４１は、バーチャル賽銭が到達位置に到達するのに応じ、上記返礼シンボルの動画データを生成する。例えば、返礼シンボルの動画データは、上記座標系ＣＳ２（参拝者端末１００の周囲の空間に固定された座標系）における返礼シンボルの動作を示すデータである。例えば返礼動画データ生成部１４１は、参拝対象情報受信部１１３が記憶する返礼シンボルの情報に基づいて、返礼シンボルの動画データを生成する。返礼動画データ生成部１４１は、バーチャル賽銭の到達位置に基づいて、返礼シンボルの動画データを変更してもよい。例えば返礼動画データ生成部１４１は、バーチャル賽銭の到達位置が社殿１１から外れていない場合と、バーチャル賽銭の到達位置が社殿１１から外れている場合とで、返礼シンボルの動画データを変更する。一例として、返礼動画データ生成部１４１は、バーチャル賽銭の到達位置が社殿１１から外れていない場合に、社殿１１へのバーチャル賽銭の投入に対する返礼を示すように返礼シンボルが動作する動画データ（以下、これを「第１動画データ」という。）を生成する。一方、返礼動画データ生成部１４１は、バーチャル賽銭の到達位置が社殿１１から外れている場合に、返礼シンボルがバーチャル賽銭を社殿１１まで運ぶ動画データ（以下、これを「第２動画データ」という。）を生成する。返礼動画データ生成部１４１は、バーチャル賽銭の到達位置が社殿１１から外れている場合に、上記第２動画データと上記第１動画データとを順に含む動画データを生成してもよい。
【００４０】
合成データ生成部１４２は、返礼動画データ生成部１４１が生成する動画データに従って動作する返礼シンボルの画像を社殿１１の実画像に合成した合成動画データを生成する。例えば合成データ生成部１４２は、参拝者端末１００の現在の向きと返礼シンボルの動画データとに基づいて、実画像内における返礼シンボルの表示位置を算出することと、当該表示位置にて返礼シンボルの画像を実画像に合成することとを繰り返すことで、上記合成動画データを生成する。
【００４１】
合成画像表示部１４３は、合成データ生成部１４２が生成する合成動画データに従って返礼動画を表示する。合成画像表示部１４３は、返礼動画に合わせて効果音を発生させるように構成されていてもよい。
【００４２】
合成データ生成部１４２及び合成画像表示部１４３による返礼動画の表示中においては、返礼シンボルの動画データに対応する返礼シンボルの表示位置が、参拝者端末１００の現在の向きに応じて更新される。このため、参拝者端末１００が傾けば、その傾きに応じて返礼シンボルの表示位置も変化する。
【００４３】
参拝支援サーバ３００は、機能モジュールとして、参拝対象データベース３１１と、参拝対象情報送信部３１２と、決済処理部３１３とを有する。参拝対象データベース３１１は、社殿１１の位置情報、社殿１１のパノラマ画像Ｐ、及び返礼シンボルの情報等を参拝対象の識別情報に対応付けたデータセットを参拝対象１０ごとに記憶する。参拝対象情報送信部３１２は、参拝者端末１００からの要求に応じて参拝対象１０の情報を参拝対象データベース３１１から抽出し、参拝者端末１００に送信する。
【００４４】
決済処理部３１３は、決済要求部１０３からの要求に応じた電子決済用の処理を実行する。例えば決済処理部３１３は、決済要求部１０３からの要求に応じた電子決済を金融機関のサーバ等に要求する。電子決済は、電子データ上において参拝者の資金を参拝対象に移動させる決済であればいかなるものであってもよい。電子決済は、口座振替、クレジットカード決済、及び電子マネーによる決済等が挙げられる。
【００４５】
図７は、参拝者端末１００及び参拝支援サーバ３００のハードウェア構成を例示するブロック図である。図７に示すように、参拝者端末１００は、回路１８０と、表示デバイス１８１と、入力デバイス１８２と、ＧＰＳセンサ１８３と、姿勢センサ１８４と、カメラ１８５とを有する。回路１８０は、一つ又は複数のプロセッサ１９１と、メモリ１９２と、ストレージ１９３と、入出力ポート１９４と、通信ポート１９５とを含む。ストレージ１９３は、例えばハードディスク等、コンピュータによって読み取り可能な記憶媒体を有する。記憶媒体は、不揮発性の半導体メモリ、磁気ディスク及び光ディスク等の取り出し可能な媒体であってもよい。ストレージ１９３は、参拝対象１０の社殿１１の実画像を取得することと、参拝者による操作入力に応じて、移動するバーチャル賽銭の画像を社殿１１の実画像に合成した動画を表示することと、上記操作入力に応じて、参拝対象１０に対する寄付の電子決済用の処理を行うことと、を参拝者端末１００に実行させるためのプログラム（例えば上記アプリケーション）を記憶している。例えばストレージ１９３は、上述した参拝者端末１００の機能モジュールを構成するためのプログラムを記憶している。メモリ１９２は、ストレージ１９３の記憶媒体からロードしたプログラム及びプロセッサ１９１による演算結果を一時的に記憶する。プロセッサ１９１は、メモリ１９２と協働して上記プログラムを実行することで、上述した各機能モジュールを構成する。入出力ポート１９４は、プロセッサ１９１からの指令に従って、表示デバイス１８１、入力デバイス１８２、ＧＰＳセンサ１８３、姿勢センサ１８４及びカメラ１８５との間で電気信号の入出力を行う。通信ポート１９５は、プロセッサ１９１からの指令に応じ、参拝支援サーバ３００との間でネットワーク通信を行う。
【００４６】
参拝支援サーバ３００は、回路３９０を有する。回路３９０は、一つ又は複数のプロセッサ３９１と、メモリ３９２と、ストレージ３９３と、通信ポート３９４とを含む。ストレージ３９３は、例えばハードディスク等、コンピュータによって読み取り可能な記憶媒体を有する。記憶媒体は、不揮発性の半導体メモリ、磁気ディスク及び光ディスク等の取り出し可能な媒体であってもよい。ストレージ３９３は、上述した参拝支援サーバ３００の機能モジュールを構成するためのプログラムを記憶している。メモリ３９２は、ストレージ３９３の記憶媒体からロードしたプログラム及びプロセッサ３９１による演算結果を一時的に記憶する。プロセッサ３９１は、メモリ３９２と協働して上記プログラムを実行することで、上述した各機能モジュールを構成する。通信ポート３９４は、プロセッサ３９１からの指令に応じ、参拝者端末１００との間でネットワーク通信を行う。
【００４７】
以上に例示した参拝支援システム１の構成はあくまで一例である。参拝支援システム１は、参拝対象１０の社殿１１の実画像を取得することと、参拝者による参拝者端末１００への操作入力に応じて、移動するバーチャル賽銭の画像を社殿１１の実画像に合成した動画を参拝者端末１００に表示することと、上記操作入力に応じて、参拝対象１０に対する寄付の電子決済用の処理を行うことと、を実行し得る限りいかようにも変更可能である。
【００４８】
参拝対象データベース３１１の内容をコピーしたデータベース（以下、「ローカルデータベース」という。）を参拝者端末１００内に設け、参拝対象データベース３１１の更新内容に従ってローカルデータベースを定期的に更新してもよい。この場合、参拝者端末１００における参拝対象１０の選択処理をより迅速に実行させることができる。
【００４９】
また、上述した参拝者端末１００の機能の少なくとも一部を参拝支援サーバ３００側に移してもよい。例えば、上述した参拝者端末１００の全機能モジュールを参拝支援サーバ３００側に移すことも可能である。この場合、参拝者端末１００は、参拝支援サーバ３００により、入力デバイス、センシングデバイス及び表示デバイスとして操作されることとなる。
【００５０】
〔参拝支援手順〕
以下、参拝支援方法の一例として、参拝支援システム１が実行する参拝支援手順を例示する。この手順は、参拝対象１０の社殿１１の実画像を取得することと、参拝者の参拝者端末１００への操作入力に応じて、移動するバーチャル賽銭の動画像を社殿１１の実画像に合成した寄付動画を参拝者端末１００に表示することと、操作入力に応じて、参拝対象１０に対する寄付の電子決済用の処理を行うことと、を含む。
【００５１】
例えば図８に示すように、参拝者端末１００は、ステップＳ０１，Ｓ０２，Ｓ０３を実行する。ステップＳ０１では、位置・姿勢情報取得部１３１が、参拝支援用の上記アプリケーションが起動された状態にて、参拝支援開始指令の入力を待機する。ステップＳ０２では、位置・姿勢情報取得部１３１が、上記端末位置情報を取得する。位置・姿勢情報取得部１３１は、上記端末姿勢情報を取得してもよい。ステップＳ０３では、参拝対象選択部１３２が、参拝者端末１００の現在位置と社殿１１の位置とが最も近い参拝対象１０の選択を参拝支援サーバ３００に要求する。参拝対象選択部１３２は、参拝者端末１００の現在位置を基準とした社殿１１の位置の方位と、参拝者端末１００が向かう方位とが最も近い参拝対象の選択を参拝支援サーバ３００に要求してもよい。
【００５２】
これに応じ、参拝支援サーバ３００はステップＳ２１，Ｓ２２を実行する。ステップＳ２１では、参拝対象情報送信部３１２が、参拝者端末１００の現在位置と社殿１１の位置とが最も近い参拝対象を参拝対象データベース３１１から選択する。参拝対象情報送信部３１２は、参拝者端末１００の現在位置を基準とした社殿１１の位置の方位と、参拝者端末１００が向かう方位とが最も近い参拝対象１０を選択してもよい。ステップＳ２２では、参拝対象情報送信部３１２が、ステップＳ２１における参拝対象１０の選択結果の情報を参拝者端末１００に送信する。選択結果の情報は、上記被選択参拝対象の識別情報及び社殿１１の位置情報とを含む。
【００５３】
これに応じ、参拝者端末１００はステップＳ０４，Ｓ０５を実行する。ステップＳ０４では、参拝対象選択部１３２が、参拝対象情報送信部３１２が送信した選択結果の情報を取得する。ステップＳ０５では、参拝モード切替部１１１が、参拝者端末１００の現在位置と、上記被選択参拝対象の社殿１１の位置との距離が上記切替閾値よりも小さいか否かを確認する。
【００５４】
ステップＳ０５において、参拝者端末１００の現在位置と、被選択参拝対象の社殿の位置との距離が切替閾値よりも小さいと判定した場合、参拝者端末１００はステップＳ０６，Ｓ０７を実行する。ステップＳ０６では、参拝モード切替部１１１が、実画像取得のモードを第１モードとする。なお、社殿１１の混雑等により、参拝者端末１００のカメラ１８５による社殿１１の撮影が困難である場合、参拝モード切替部１１１は、実画像取得のモードを第２モードにしてもよい。ステップＳ０７では、第１取得部１１５が、社殿１１の実画像取得のために、参拝者端末１００のカメラ１８５を起動させる。以後、実画像取得部１１０における社殿１１の実画像取得は、第１取得部１１５により実行される。
【００５５】
ステップＳ０５において、参拝者端末１００の現在位置と、被選択参拝対象の社殿の位置との距離が切替閾値以上であると判定した場合、参拝者端末１００はステップＳ０８，Ｓ０９，Ｓ１１を実行する。ステップＳ０８では、参拝モード切替部１１１が、実画像の取得モードを第２モードとする。ステップＳ０９では、参拝対象検索部１１２が、検索条件の指定用の画面を参拝者端末１００の表示デバイス１８１に表示する。ステップＳ１１では、参拝対象検索部１１２、検索条件の指定用の画面に基づく指定入力を参拝者端末１００の入力デバイス１８２から取得する。参拝対象検索部１１２は、当該指定入力に従って検索条件を指定し、参拝対象１０の検索を参拝支援サーバ３００に要求する。
【００５６】
これに応じ、参拝支援サーバ３００はステップＳ２３，Ｓ２４を実行する。ステップＳ２３では、参拝対象情報送信部３１２が、参拝対象検索部１１２が指定した検索条件に合致する参拝対象１０を参拝対象データベース３１１から抽出する。ステップＳ２４では、参拝対象情報送信部３１２が、検索結果の情報を参拝者端末１００に送信する。検索結果の情報は、検索条件に従って抽出された参拝対象１０の識別情報を含む。
【００５７】
これに応じ、参拝者端末１００はステップＳ１２，Ｓ１３を実行する。ステップＳ１２では、参拝対象検索部１１２が、参拝対象１０の検索結果を参拝者端末１００の表示デバイスに表示する。例えば参拝対象検索部１１２は、検索条件に従って抽出された参拝対象１０のリストを表示する。ステップＳ１３では、参拝対象情報受信部１１３が、参拝対象検索部１１２が取得した検索結果から一つの参拝対象１０を選択し、選択した参拝対象１０の識別情報を指定して当該参拝対象１０の追加情報の送信を参拝支援サーバ３００に要求する。
【００５８】
これに応じ参拝支援サーバ３００は、ステップＳ２５，Ｓ２６を実行する。ステップＳ２５では、参拝対象情報送信部３１２が、参拝対象情報受信部１１３により指定された参拝対象１０の追加情報を参拝支援サーバ３００から抽出する。ステップＳ２６では、参拝対象情報送信部３１２が、抽出した参拝対象１０の追加情報を参拝者端末１００に送信する。
【００５９】
これに応じ参拝者端末１００は、ステップＳ１４を実行する。ステップＳ１４では、参拝対象情報受信部１１３が、参拝対象１０の追加情報を受信して参拝対象情報記憶部１１４に書き込む。以後、実画像取得部１１０における社殿１１の実画像取得は、第２取得部１１６により実行される。第２取得部１１６による実画像取得には、参拝対象情報記憶部１１４が記憶する社殿１１のパノラマ画像Ｐが用いられる。
【００６０】
ステップＳ０７，Ｓ１４の次に、参拝者端末１００は、図９に示すようにステップＳ３１，Ｓ３２，Ｓ３３を実行する。ステップＳ３１では、実画像取得部１１０が、参拝対象１０の社殿１１の実画像を取得する。実画像取得のモードが第１モードである場合には、第１取得部１１５が、参拝者端末１００のカメラ１８５により撮影された社殿１１の実画像を取得する。実画像取得のモードが第２モードである場合には、第２取得部１１６は、参拝対象情報記憶部１１４が記憶するパノラマ画像Ｐから、参拝者端末１００の向きに応じた表示対象エリアの実画像を抽出する。第２取得部１１６は、位置・姿勢情報取得部１３１が取得した端末姿勢情報に基づいて参拝者端末１００の向き（例えば参拝者端末１００のカメラ１８５の視線方向）を導出する。
【００６１】
ステップＳ３２では、合成画像表示部１２３が、操作入力用のオブジェクト（例えば上記賽銭マークＣ１）と、実画像取得部１１０が取得した実画像とを含む待機画像を参拝者端末１００の表示デバイス１８１に表示する。ステップＳ３３では、操作入力取得部１０１が、参拝者端末１００の入力デバイス１８２への操作入力の有無を確認する。
【００６２】
ステップＳ３３において入力デバイス１８２への操作入力がないと判定した場合、参拝者端末１００は処理をステップＳ３１に戻す。以後、操作入力があるまでは、待機画像の更新が繰り返される。
【００６３】
ステップＳ３３において入力デバイス１８２への操作入力があると判定した場合、参拝者端末１００はステップＳ３４，Ｓ３５，Ｓ３６を実行する。ステップＳ３４では、操作入力取得部１０１が、参拝者端末１００の入力デバイス１８２への操作入力を取得する。操作入力は、寄付の金額を指定する入力と、バーチャル賽銭を投げる入力（例えば賽銭マークＣ１を移動させる入力）とを含む。ステップＳ３５では、寄付金額設定部１０２が、上記操作入力に基づいて、参拝対象１０への寄付の金額を設定する。寄付金額設定部１０２は、上記操作入力により指定された数値に応じて寄付の金額を設定する。ステップＳ３６では、移動経路算出部１２１が、参拝者端末１００の入力デバイス１８２への上記移動操作入力の方向（例えば操作入力による賽銭マークＣ１の移動方向）と、参拝者端末１００の向きとに基づいて、バーチャル賽銭の三次元移動経路を算出する。
【００６４】
次に、参拝者端末１００は、図１０に示すようにステップＳ４１，Ｓ４２を実行する。ステップＳ４１では、合成データ生成部１２２が、上記座標系ＣＳ２（参拝者端末１００の周囲の空間に固定された座標系）におけるバーチャル賽銭の位置（以下、「三次元位置」という。）を、三次元移動経路に沿った移動の初期位置に設定する。ステップＳ４２では、実画像取得部１１０が、参拝対象１０の社殿１１の実画像を取得する。実画像取得のモードが第１モードである場合には、第１取得部１１５が、参拝者端末１００のカメラにより撮影された社殿１１の実画像を取得する。実画像取得のモードが第２モードである場合には、第２取得部１１６は、参拝対象情報記憶部１１４が記憶するパノラマ画像Ｐから、参拝者端末１００の向きに応じた表示対象エリアの実画像を抽出する。第２取得部１１６は、位置・姿勢情報取得部１３１が取得した端末姿勢情報に基づいて参拝者端末１００の向き（例えば参拝者端末１００のカメラ１８５の視線方向）を導出する。
【００６５】
次に、参拝者端末１００は、ステップＳ４３，Ｓ４４，Ｓ４５，Ｓ４６を実行する。ステップＳ４３では、合成データ生成部１２２が、参拝者端末１００の現在の向きと、上記三次元位置とに基づいて、実画像内におけるバーチャル賽銭の表示位置を算出する。ステップＳ４４では、合成データ生成部１２２が、実画像内の上記表示位置に、バーチャル賽銭の画像を合成した合成画像データを（一フレーム分の合成動画データ）を生成する。ステップＳ４５では、合成画像表示部１２３が、合成データ生成部１２２が生成する合成画像データに基づいて、寄付動画の一フレームを参拝者端末１００の表示デバイス１８１に表示する。ステップＳ４６では、合成データ生成部１２２が、バーチャル賽銭が相対到達位置ＡＰに達したか否かを確認する。
【００６６】
ステップＳ４６においてバーチャル賽銭が相対到達位置ＡＰに達していないと判定した場合、参拝者端末１００はステップＳ４７を実行する。ステップＳ４７では、合成データ生成部１２２が、バーチャル賽銭の三次元位置を、三次元移動経路に沿って移動させる。例えば合成データ生成部１２２は、寄付動画の一フレーム分の移動ピッチでバーチャル賽銭の三次元位置を移動させる。その後参拝者端末１００は、処理をステップＳ４２に戻す。以後、バーチャル賽銭が相対到達位置ＡＰに到達するまでは、バーチャル賽銭の三次元位置の移動と寄付動画の表示とが継続される。
【００６７】
ステップＳ４６においてバーチャル賽銭が相対到達位置ＡＰに達していると判定した場合、参拝者端末１００は、図１１に示すようにステップＳ５１，Ｓ５２を実行する。ステップＳ５１では、返礼動画データ生成部１４１が、上記返礼シンボルの動画データを生成する。返礼動画データ生成部１４１は、バーチャル賽銭の相対到達位置ＡＰに基づいて、返礼シンボルの動画データを変更してもよい。ステップＳ５２では、合成データ生成部１４２が、上記座標系ＣＳ２（参拝者端末１００の周囲の空間に固定された座標系）における返礼シンボルの位置（以下、「三次元位置」という。）を、動画データの初期位置に設定する。
【００６８】
次に、参拝者端末１００は、ステップＳ５３を実行する。ステップＳ５３では、実画像取得部１１０が、参拝対象１０の社殿１１の実画像を取得する。実画像取得のモードが第１モードである場合には、第１取得部１１５が、参拝者端末１００のカメラ１８５により撮影された社殿１１の実画像を取得する。実画像取得のモードが第２モードである場合には、第２取得部１１６は、参拝対象情報記憶部１１４が記憶するパノラマ画像Ｐから、参拝者端末１００の向きに応じた表示対象エリアの実画像を抽出する。第２取得部１１６は、位置・姿勢情報取得部１３１が取得した端末姿勢情報に基づいて参拝者端末１００の向き（例えば参拝者端末１００のカメラ１８５の視線方向）を導出する。
【００６９】
次に、参拝者端末１００は、ステップＳ５４，Ｓ５５，Ｓ５６，Ｓ５７を実行する。ステップＳ５４では、合成データ生成部１４２が、参拝者端末１００の現在の向きと、上記三次元位置とに基づいて、実画像内における返礼シンボルの表示位置を算出する。ステップＳ５５では、合成データ生成部１４２が、実画像内の上記表示位置に、返礼シンボルの画像を合成した合成画像データを（一フレーム分の合成動画データ）を生成する。ステップＳ５６では、合成画像表示部１４３が、合成データ生成部１４２が生成する合成画像データに基づいて、返礼動画の一フレームを参拝者端末１００の表示デバイス１８１に表示する。ステップＳ５７では、合成データ生成部１４２が、動画データに従った返礼シンボルの動作が完了したか否かを確認する。
【００７０】
ステップＳ５７において返礼シンボルの動作が完了していないと判定した場合、参拝者端末１００はステップＳ５８を実行する。ステップＳ５８では、合成データ生成部１４２が、返礼シンボルの三次元位置を、動画データに従って移動させる。例えば合成データ生成部１２２は、返礼動画の一フレーム分の移動ピッチで返礼シンボルの三次元位置を移動させる。その後参拝者端末１００は、処理をステップＳ５３に戻す。以後、返礼シンボルの動作が完了するまでは、返礼シンボルの三次元位置の移動と返礼動画の表示とが継続される。ステップＳ５７において返礼シンボルの動作が完了したと判定した場合、参拝者端末１００はステップＳ５９を実行する。ステップＳ５９では、決済要求部１０３が、寄付金額設定部１０２が設定した金額の参拝対象に寄付する電子決済を参拝支援サーバ３００に要求する。
【００７１】
これに応じ、参拝支援サーバ３００は、ステップＳ６１を実行する。ステップＳ６１では、決済処理部３１３が、決済要求部１０３からの要求に応じた電子決済用の処理を実行する。例えば決済処理部３１３は、決済要求部１０３からの要求に応じた電子決済を金融機関のサーバ等に要求する。以上で参拝支援手順が完了する。
【００７２】
〔本実施形態の効果〕
以上に説明したように、本実施形態に係る参拝支援方法は、参拝対象１０の社殿１１の実画像を取得することと、参拝者の参拝者端末１００への操作入力に応じて、移動するバーチャル賽銭の動画像を社殿１１の実画像に合成した寄付動画を参拝者端末１００に表示することと、操作入力に応じて、参拝対象１０に対する寄付の電子決済用の処理を行うことと、を含む。
【００７３】
この参拝支援方法によれば、参拝者の参拝者端末１００への操作入力に応じて、移動するバーチャル賽銭の動画像を社殿１１の実画像に合成した動画の表示と、社殿１１への寄付の電子決済とが実行される。従って、この参拝支援方法は、参拝の利便性と、参拝の実感との両立を図るのに有効である。
【００７４】
参拝支援方法は、寄付動画の表示に応じ、寄付に対する返礼を示す返礼シンボルの動画像を社殿の実画像に合成した返礼動画を端末装置に表示することを更に含んでいてもよい。この場合、参拝における寄付の実感を更に向上させることができる。
【００７５】
参拝支援方法は、バーチャル賽銭の到達位置に応じて返礼シンボルの動画像を変更することを更に含んでいてもよい。この場合、参拝における寄付の実感を更に向上させることができる。なお、バーチャル賽銭の金額、参拝者の参拝目的等に応じて動画像を変更してもよい。参拝目的は、例えば参拝者端末１００への入力に基づき把握することが可能である。
【００７６】
社殿１１の実画像を取得することは、予め取得された社殿１１のパノラマ画像Ｐから、参拝者端末１００の向きに応じた表示対象エリアの実画像を抽出することを含んでいてもよい。この場合、参拝者端末１００と社殿１１との間の距離に関係なく、参拝者端末１００の向きに応じて表示エリアが変化する社殿１１の実画像と、バーチャル賽銭とを合成した動画を再生することができる。従って、参拝の実感を保ちつつ、参拝の利便性を向上させることができる。
【００７７】
社殿１１の実画像を取得することは、社殿１１のパノラマ画像Ｐから、参拝者端末１００のカメラ１８５の視線方向に応じた表示対象エリアの実画像を抽出することを含んでいてもよい。この場合、カメラの視線方向と表示対象エリアとが連動するので、参拝の実感を更に向上させることができる。
【００７８】
カメラ１８５の視線方向に応じた表示対象エリアの実画像を抽出することは、カメラ１８５の視線方向が社殿１１の実在方向に向かうときに社殿１１が中央に表示されるよう予め定められた対応関係に基づいて、カメラ１８５の視線方向に応じた表示対象エリアを設定することを含んでいてもよい。この場合、カメラ１８５の視線方向と表示対象エリアとが、カメラ１８５による撮像と同様に連動するので、参拝の実感を更に向上させることができる。
【００７９】
社殿１１の実画像を取得することは、参拝者端末１００のカメラ１８５により撮影された社殿１１の実画像を取得することを含んでいてもよい。この場合、参拝者端末１００が取得したリアルタイム画像にバーチャル賽銭の動画が合成されるので、参拝における寄付の実感を更に向上させることができる。
【００８０】
社殿１１の実画像を取得することは、参拝者端末１００のカメラ１８５により撮影された社殿１１の実画像を取得する第１モードの実画像取得と、予め取得された社殿１１のパノラマ画像Ｐから、参拝者端末１００の向きに応じた表示対象エリアの実画像を抽出する第２モードの実画像取得と、参拝者端末１００の現在位置に応じて第１モードの実画像取得と第２モードの実画像取得とを切り替えることとを含んでいてもよい。この場合、参拝の利便性と参拝の実感との両立をより確実に図ることができる。
【００８１】
バーチャル賽銭の画像を実画像に合成した動画を参拝者端末１００に表示することは、参拝者端末１００への操作入力の方向と、参拝者端末１００の向きとに基づいて、バーチャル賽銭の三次元移動経路を算出することと、三次元移動経路に対応する移動経路ＭＲに沿ってバーチャル賽銭が実画像内で移動するように合成動画データを生成することとを含んでいてもよい。この場合、バーチャル賽銭の位置が、三次元移動経路上に維持されることによって、画像内におけるバーチャル賽銭の動きが実際の移動物に近くなる。従って、参拝の寄付の実感を更に向上させることができる。
【００８２】
参拝支援方法は、参拝者端末１００の現在位置に基づいて、参拝対象１０を選択することを更に含んでいてもよい。この場合、参拝の利便性を更に向上させることができる。
【００８３】
参拝支援方法は、参拝者端末１００の向きに基づいて、参拝対象１０を選択することを更に含んでいてもよい。この場合、参拝の利便性を更に向上させることができる。
【００８４】
社殿１１の実画像を取得することは、異なる時間に撮影された複数の社殿のパノラマ画像から、現在時刻に対応するパノラマ画像を選択することと、選択したパノラマ画像から実画像を取得することとを含んでいてもよい。この場合、現在時刻に対応する実画像が取得されるので、参拝の実感を更に向上させることができる。
【００８５】
以上、実施形態について説明したが、本開示は必ずしも上述した実施形態に限定されるものではなく、その要旨を逸脱しない範囲で様々な変更が可能である。
【００８６】
本開示は、以下に付記する構成を含む。
（付記１）
予め取得された参拝対象の社殿のパノラマ画像から、参拝者の端末装置の向きに応じた表示対象エリアの実画像を抽出することと、
バーチャル賽銭の寄付用の操作入力を行うための画像を前記社殿の実画像と共に前記端末装置に表示することと、
前記操作入力に応じて、前記参拝対象に対する寄付の電子決済用の処理を行うことと、を含む参拝支援方法。
（付記２）
参拝者の端末装置の向きに応じた表示対象エリアの実画像を抽出することは、前記社殿のパノラマ画像から、前記端末装置のカメラの視線方向に応じた前記表示対象エリアの実画像を抽出することを含む、付記１記載の参拝支援方法。
（付記３）
前記カメラの視線方向に応じた表示対象エリアの実画像を抽出することは、前記カメラの視線方向が前記社殿の実在方向に向かうときに前記社殿が中央に表示されるよう予め定められた対応関係に基づいて、前記カメラの視線方向に応じた表示対象エリアを設定することを含む、付記２記載の参拝支援方法。
（付記４）
前記操作入力に応じて、移動するバーチャル賽銭の動画像を前記社殿の実画像に合成した寄付動画を前記端末装置に表示することを更に含む、付記１〜３のいずれか一つに記載の参拝支援方法。
（付記５）
前記寄付動画の表示に応じ、寄付に対する返礼を示す返礼シンボルの動画像を前記社殿の実画像に合成した返礼動画を前記端末装置に表示することを更に含む、付記４記載の参拝支援方法。
（付記６）
前記バーチャル賽銭の到達位置に応じて前記返礼シンボルの動画像を変更することを更に含む、付記５記載の参拝支援方法。
（付記７）
前記バーチャル賽銭の画像を前記社殿の実画像に合成した動画を前記端末装置に表示することは、
前記端末装置への操作入力の方向と、前記端末装置の向きとに基づいて、前記バーチャル賽銭の三次元移動経路を算出することと、
前記三次元移動経路に対応する移動経路に沿って前記バーチャル賽銭が前記社殿の実画像内で移動するように合成動画データを生成することとを含む、付記４〜６のいずれか一つに記載の参拝支援方法。
（付記８）
前記端末装置の向きに基づいて、参拝対象を選択することを更に含む、付記１〜７のいずれか一項記載の参拝支援方法。
（付記９）
請求項１〜８のいずれか一項記載の参拝支援方法を装置に実行させるプログラム。
（付記１０）
請求項１〜８のいずれか一項記載の参拝支援方法を装置に実行させるプログラムを記憶した、コンピュータ読み取り可能な記憶媒体。
【００８７】
以上に付記した構成も、寄付の電子決済による利便性と、寄付の実感との両立を図るのに有効である。
【符号の説明】
【００８８】
１０…参拝対象、１１…社殿、１００…参拝者端末（端末装置）、１８５…カメラ、ＭＲ…移動経路、Ｐ…パノラマ画像。
【図１】
2020173710.tif 000003
【図２】
2020173710.tif 000004
【図３】
2020173710.tif 000005
【図４】
2020173710.tif 000006
【図５】
2020173710.tif 000007
【図６】
2020173710.tif 000008
【図７】
2020173710.tif 000009
【図８】
2020173710.tif 000010
【図９】
2020173710.tif 000011
【図１０】
2020173710.tif 000012
【図１１】
2020173710.tif 000013
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
参拝者端末により実行される参拝支援方法であって、
実画像取得部が、参拝対象の社殿の実画像を取得することと、
寄付動画表示部が、操作入力に応じて、移動するバーチャル賽銭の動画像を前記社殿の実画像に合成した寄付動画を前記参拝者端末に表示することと、
決済要求部が、前記操作入力に応じて、前記参拝対象に対する寄付の電子決済用の処理を行うことと、
返礼動画表示部が、前記寄付動画の表示に応じ、寄付に対する返礼を示す返礼シンボルの動画像を前記社殿の実画像に合成した返礼動画を前記参拝者端末に表示することと、を含む参拝支援方法。
【請求項２】
前記返礼動画表示部が、前記バーチャル賽銭の到達位置に応じて前記返礼シンボルの動画像を変更することを更に含む、請求項１記載の参拝支援方法。
【請求項３】
参拝者端末により実行される参拝支援方法であって、
実画像取得部が、参拝対象の社殿の実画像を取得することと、
寄付動画表示部が、操作入力に応じて、移動するバーチャル賽銭の動画像を前記社殿の実画像に合成した寄付動画を前記参拝者端末に表示することと、
決済要求部が、前記操作入力に応じて、前記参拝対象に対する寄付の電子決済用の処理を行うことと、を含み、
前記社殿の実画像を取得することは、予め取得された前記社殿のパノラマ画像から、前記参拝者端末の向きに応じた表示対象エリアの実画像を抽出することと、前記社殿のパノラマ画像から、前記参拝者端末のカメラの視線方向に応じた表示対象エリアの実画像を抽出することと、を含み、
前記カメラの視線方向に応じた表示対象エリアの実画像を抽出することは、前記カメラの視線方向が前記社殿の実在方向に向かうときに前記社殿が中央に表示されるよう予め定められた対応関係に基づいて、前記カメラの視線方向に応じた表示対象エリアを設定することを含む参拝支援方法。
【請求項４】
参拝者端末により実行される参拝支援方法であって、
実画像取得部が、参拝対象の社殿の実画像を取得することと、
寄付動画表示部が、操作入力に応じて、移動するバーチャル賽銭の動画像を前記社殿の実画像に合成した寄付動画を前記参拝者端末に表示することと、
決済要求部が、前記操作入力に応じて、前記参拝対象に対する寄付の電子決済用の処理を行うことと、を含み、
前記社殿の実画像を取得することは、前記参拝者端末のカメラにより撮影された前記社殿の実画像を取得することを含む参拝支援方法。
【請求項５】
参拝者端末により実行される参拝支援方法であって、
実画像取得部が、参拝対象の社殿の実画像を取得することと、
寄付動画表示部が、操作入力に応じて、移動するバーチャル賽銭の動画像を前記社殿の実画像に合成した寄付動画を前記参拝者端末に表示することと、
決済要求部が、前記操作入力に応じて、前記参拝対象に対する寄付の電子決済用の処理を行うことと、を含み、
前記社殿の実画像を取得することは、
前記参拝者端末のカメラにより撮影された前記社殿の実画像を取得する第１モードの実画像取得と、
予め取得された前記社殿のパノラマ画像から、前記参拝者端末の向きに応じた表示対象エリアの実画像を抽出する第２モードの実画像取得と、
前記参拝者端末の現在位置に応じて第１モードの実画像取得と第２モードの実画像取得とを切り替えることとを含む参拝支援方法。
【請求項６】
前記バーチャル賽銭の画像を前記社殿の実画像に合成した動画を前記参拝者端末に表示することは、
前記参拝者端末への操作入力の方向と、前記参拝者端末の向きとに基づいて、前記バーチャル賽銭の三次元移動経路を算出することと、
前記三次元移動経路に対応する移動経路に沿って前記バーチャル賽銭が前記社殿の実画像内で移動するように合成動画データを生成することとを含む、請求項３〜５のいずれか一項記載の参拝支援方法。
【請求項７】
参拝対象選択部が、前記参拝者端末の現在位置に基づいて、参拝対象を選択することを更に含む、請求項１〜６のいずれか一項記載の参拝支援方法。
【請求項８】
前記参拝者端末の向きに基づいて、参拝対象を選択することを更に含む、請求項１〜７のいずれか一項記載の参拝支援方法。
【請求項９】
請求項１〜８のいずれか一項記載の参拝支援方法を装置に実行させるプログラム。
【請求項１０】
請求項１〜８のいずれか一項記載の参拝支援方法を装置に実行させるプログラムを記憶した、コンピュータ読み取り可能な記憶媒体。